(57)【要約】【課題】複数の操作部材を操作性を犠牲にすることなく空調コントロールパネルに省スペースで設置することができる車両の空調用操作装置を提供する。【解決手段】内外気切換えモードを切換え操作するための第１の操作レバー６と、選択した吹出口に切換え操作するための第２の操作レバー７と、空調エアの吹出し温度を調整操作するための第３の操作レバー８と、第１〜第３の操作レバー６，７，８の基端側を、背面側に軸線方向に沿って同軸上にそれぞれ回動自在に配置した円筒状のベース部材２と、ベース部材２の外周面にその周方向に沿って回動自在に配置した円環状の操作ダイアル２３とを備え、第１〜第３の操作レバー６，７，８の各操作ノブ１４ａ，１４ｂ，１４ｃを、操作ダイアル２３の外周面上に、該操作ダイアル２３の外周面上に沿って移動自在に配置した。【選択図】図１
2009126471.tif 000002
【特許請求の範囲】
【請求項１】
車両用空調装置から車室内へ吹出される空調エアの吹出口切換え、空調エアの温度調整、内気循環／外気導入の切換えを、それぞれの操作レバーに一端側が連結されたコントロールケーブルを介して機械的に操作する車両の空調用操作装置であって、
内気循環／外気導入モードを選択的に切換え操作するための第１の操作レバーと、
複数の吹出口のうちから選択した吹出口に切換え操作するための第２の操作レバーと、
前記吹出口から吹出される空調エアの温度を調整操作するための第３の操作レバーと、
前記第１、第２、第３の操作レバーの基端側を、背面側に軸線方向に沿って同軸上にそれぞれ回動自在に配置した円筒状のベース部材と、
前記ベース部材の外周面にその周方向に沿って回動自在に配置した円環状の操作ダイアルと、を備え、
前記第１、第２、第３の操作レバーの先端側の各操作部を、前記操作ダイアルの外周面上に、該操作ダイアルの外周面上に沿って移動自在に配置した、
ことを特徴とする車両の空調用操作装置。
【請求項２】
前記操作ダイアルの外周面の前側縁部に、前記第１、第２、第３の操作レバーの先端側の各操作部にそれぞれ係合自在なフック部材を設けた、
ことを特徴とする請求項１に記載の車両の空調用操作装置。
【発明の詳細な説明】
【技術分野】
【０００１】
本発明は、車両用空調装置から車室内へ吹出される空調エアの吹出口切換え、空調エアの温度調整、内気循環と外気導入の切換えを、それぞれの操作部材に一端側が連結されたコントロールケーブルを介して機械的に操作する車両の空調用操作装置に関する。
【背景技術】
【０００２】
自動車のインストルメントパネルに設けた空調コントロールパネルには、車両用空調装置から車室内へ吹出される空調エアの吹出口切換え、空調エアの温度調整、内気循環と外気導入の切換え等を、それぞれの操作部材に一端側が連結されたコントロールケーブルを介して機械的に操作する空調用操作装置が設けられている（例えば、特許文献１参照）。
【０００３】
前記特許文献１のような空調用操作装置（コントローラ）においては、空調エアの吹出口切換え用の操作ダイアル、空調エアの温度調整用の操作ダイアル、内気循環と外気導入の切換え用の操作レバーをそれぞれ操作することにより、連結されている歯車、コントロールケーブル等を介して機械的に車両用空調装置の各種ダンパやドアの作動を切換えて、選択した任意の空調モードへ切換えることができる。
【特許文献１】特開平１０−８６６３５号公報
【発明の開示】
【発明が解決しようとする課題】
【０００４】
ところで、前記特許文献１のような従来のコントロールケーブル等を介して機械的に操作する構成の空調用操作装置（コントローラ）は、複数の操作部材（操作ダイヤル、操作レバー）がそれぞれ独立して設けられているので、空調コントロールパネルに設置するには所定の設置スペースが必要となる。
【０００５】
しかしながら、最近の自動車においては、空調コントロールパネルが設けられるインストルメントパネルにカーナビゲーション装置やオーディオ装置等も併せて設置されることにより、空調コントロールパネルの設置スペースが小さくなっている。このため、空調コントロールパネルを省スペースでインストルメントパネルに設置できるように、複数の操作部材を操作性を犠牲にすることなく空調コントロールパネルに省スペースで設置することができる空調操作装置が望まれている。
【０００６】
そこで、本発明は、複数の操作部材を操作性を犠牲にすることなく空調コントロールパネルに省スペースで設置することができる車両の空調用操作装置を提供することを目的とする。
【課題を解決するための手段】
【０００７】
前記目的を達成するために請求項１に係る本発明は、車両用空調装置から車室内へ吹出される空調エアの吹出口切換え、空調エアの温度調整、内気循環／外気導入の切換えを、それぞれの操作レバーに一端側が連結されたコントロールケーブルを介して機械的に操作する車両の空調用操作装置であって、内気循環／外気導入モードを選択的に切換え操作するための第１の操作レバーと、複数の吹出口のうちから選択した吹出口に切換え操作するための第２の操作レバーと、前記吹出口から吹出される空調エアの温度を調整操作するための第３の操作レバーと、前記第１、第２、第３の操作レバーの基端側を、背面側に軸線方向に沿って同軸上にそれぞれ回動自在に配置した円筒状のベース部材と、前記ベース部材の外周面にその周方向に沿って回動自在に配置した円環状の操作ダイアルと、を備え、前記第１、第２、第３の操作レバーの先端側の各操作部を、前記操作ダイアルの外周面上に、該操作ダイアルの外周面上に沿って移動自在に配置したことを特徴としている。
【０００８】
また、請求項２に係る本発明の車両の空調用操作装置は、前記操作ダイアルの外周面の前側縁部に、前記第１、第２、第３の操作レバーの先端側の各操作部にそれぞれ係合自在なフック部材を設けたことを特徴としている。
【発明の効果】
【０００９】
本発明に係る車両の空調用操作装置によれば、円筒状のベース部材の背面側に、内気循環／外気導入モードを選択的に切換え操作するための第１の操作レバーの基端側、複数の吹出口のうちから選択した吹出口に切換え操作するための第２の操作レバーの基端側、および前記吹出口から吹出される空調エアの温度を調整操作するための第３の操作レバーの基端側を、前記ベース部材の軸線方向に沿って同軸上にそれぞれ回動自在に配置し、前記第１、第２、第３の操作レバーの先端側の操作部を、前記ベース部材の外周面に回動自在に配置した円環状の操作ダイアルの外周面上に沿って移動自在に設けた構成により、従来のようにコントロールケーブルを介して機械的に操作するための複数の操作レバーを空調コントロールパネルにそれぞれ独立して設ける必要がないので、第１、第２、第３の操作レバーの各操作部を空調コントロールパネルに省スペースで設置することができる。
【００１０】
更に、ベース部材の外周面にその周方向に沿って回動自在な円環状の操作ダイアルを配置したことにより、操作者が第１、第２、第３の操作レバーの各操作部に指を当てて操作するときに、操作している側の他の指で回動自在な操作ダイアルを摘むことにより、操作部を安定して操作性よく回動させることができる。
【発明を実施するための最良の形態】
【００１１】
以下、本発明を図示の実施形態に基づいて説明する。
【００１２】
〈実施形態１〉
図１は、本発明の実施形態１に係る車両の空調用操作装置を前面側から見た斜視図、図２は、同空調用操作装置を背面側から見た斜視図、図３は、同空調用操作装置の分解斜視図である。
【００１３】
これらの図に示すように、本実施形態に係る空調用操作装置１は、円筒状のベース部材２の前面側の外周縁部に、光拡散性を有する光拡散樹脂部材３を内包するようにして前面パネル部材４の円筒状縁部４ａが固着されている。
【００１４】
前面パネル部材４の前面外周側には、円弧状に形成されたシート状の第１の表示板５ａ、第２の表示板５ｂ、第３の表示板５ｃが貼り付けられており、その内周側には、円弧状に形成されたシート状の第４の表示板５ｄが貼り付けられている。前面パネル部材４の第１〜第４の表示板５ａ，５ｂ，５ｃ，５ｄが貼り付けられる部分には、第１〜第４の表示板５ａ，５ｂ，５ｃ，５ｄの形状に合わせて光透過用の開口部４ｂ，４ｃ，４ｄ，４ｅがそれぞれ形成されている。
【００１５】
第１の表示板５ａは、内気循環と外気導入の切換えモード位置（内気循環／外気導入表示マーク）を示す表示板、第２の表示部５ｂは、空調エアを吹出す吹出口の切換えモード位置（複数の吹出口表示マーク）を示す表示板、第３の表示板５ｃは、空調エアの設定温度位置（上側の表示マークが高温側、下側の表示マークが低温側）を示す表示板、第４の表示板５ｄは、空調エアの風量設定位置（数字（１，２，３，４）表示マーク）およびＯＦＦ位置（ＯＦＦ表示マーク）を示す表示板である。第１〜第４の表示板５ａ，５ｂ，５ｃ，５ｄにそれぞれ形成された各表示マーク部分は、光透過性を有している。
【００１６】
ベース部材２の背面側には、ベース部材２の軸線方向に沿って同軸上に回動可能に保持された第１の操作レバー６、第２の操作レバー７、第３の操作レバー８を間に挟むようにしてファンスイッチ取付部材９がビス１０ａ，１０ｂ，１０ｃにより固着されている。ファンスイッチ取付部材９の背面には、押しボタン式のエアコンスイッチ１１を内蔵した回転式のファンスイッチ１２がビス留めされている。また、ベース部材２の背面側には、中央部に設けた開口部２ａを中心にして左右対称位置に２つの光源（電球やＬＥＤなど）１３ａ，１３ｂが取付けられており、光源１３ａ，１３ｂの先端側は、ベース部材２に形成した孔（光源１３ｂ側は不図示）２ｂ内に配置されている。
【００１７】
夜間等に光源１３ａ，１３ｂへの通電により光源１３ａ，１３ｂから発せられる光が光拡散樹脂部材３に入射すると、光拡散樹脂部材３全体に光が略均一に拡散される。光拡散樹脂部材３全体に拡散された光は、開口部４ｂ，４ｃ，４ｄ，４ｅを通して第１〜第４の表示板５ａ，５ｂ，５ｃ，５ｄの各表示マーク部分を背面照明する。
【００１８】
第１、第２、第３の操作レバー６，７，８は、その中間部が前方側（前面パネル部材４）に９０度曲げられて、その先端側が前面パネル部材４の外周面上に位置している。第１の操作レバー６の先端側は、前面パネル部材４の上部周面に沿って移動可能に配置されている。また、第２、第３の操作レバー７，８の各先端側は、前面パネル部材４の両側の側部周面に沿ってそれぞれ移動可能に配置されている。
【００１９】
第１の操作レバー６は、第１の表示板５ａの表示マーク位置に対応して内気循環と外気導入のモード切換えを行うためのレバーであり、第２の操作レバー７は、第２の表示部５ｂの表示マーク位置に対応して車室内に設けた空調エアの吹出口のモード切換えを行うためのレバーである。また、第３の操作レバー８は、第３の表示板５ｃの表示マーク位置に対応して空調エアの温度調節を行うためのレバーである。
【００２０】
第１、第２、第３の操作レバー６，７，８の先端には、前面パネル部材４の外周面縁部に位置するようにして操作ノブ１４ａ，１４ｂ，１４ｃがそれぞれ取付けられている。なお、図１では、第１の操作レバー６が第１の表示板５ａの両側の各表示マーク（内気循環表示マークと外気導入表示マーク）の中間に位置しているが、通常はどちらか一方の表示マーク側に切換え操作されている。
【００２１】
ベース部材２の外周面には、第１、第２、第３の表示板５ａ，５ｂ，５ｃの位置に合わせて円弧状のレバーガイド部２ｃ，２ｄ，２ｅが一体的にそれぞれ形成されており、各レバーガイド部２ｃ，２ｄ，２ｅの内周面とベース部材２の外周面との間に形成された隙間に、第１、第２、第３の操作レバー６，７，８の先端側がそれぞれ挿通されている。各レバーガイド部２ｃ，２ｄ，２ｅの外周面には、第１、第２、第３の表示板５ａ，５ｂ，５ｃの各表示マーク位置に対応して複数の凹状の溝部２ｆがそれぞれ形成されている。
【００２２】
第１、第２、第３の操作レバー６，７，８には、段部を有する板ばね部材１５ａ，１５ｂ，１５ｃの一端側がそれぞれ固着されており、板ばね部材１５ａ，１５ｂ，１５ｃの他端側はレバーガイド部２ｃ，２ｄ，２ｅに所定の付勢力で摺動自在に当接している。また、板ばね部材１５ａ，１５ｂ，１５ｃの他端側の下部には、第１、第２、第３の操作レバー６，７，８を回動させたときに前記各溝部２ｆで節度感（クリック感）を付与するための凸部（不図示）が形成されている。これにより、第１、第２、第３の操作レバー６，７，８を回動させたときに、第１、第２、第３の表示板５ａ，５ｂ，５ｃの各表示マーク位置に確実に位置するように操作することができる。
【００２３】
第１、第２、第３の操作レバー６，７，８の各基端側とファンスイッチ取付部材９の中心部には、開口部６ａ，７ａ，８ａ、９ａがそれぞれ形成されている。そして、第１、第２、第３の操作レバー６，７，８、ファンスイッチ取付部材９、ベース部材２、光拡散樹脂部材３、前面パネル部材４の中心部に形成された各開口部６ａ，７ａ，８ａ、９ａ、２ａ、３ａ、４ｅには、ファンスイッチ１２の回転軸１２ａが挿通されている。ファンスイッチ１２の回転軸１２ａの先端には、前面パネル部材４の前面に位置するようにして円筒状のファン操作ダイアル１６が嵌合されている。
【００２４】
ファン操作ダイアル１６の先端縁部に形成した溝部１６ａにはインジケータ１７が取付けられており、ファン操作ダイアル１６を回動操作したときにインジケータ１７が第４の表示板５ｄの各表示マーク（数字（１，２，３，４）、ＯＦＦ）位置を指示する。ファン操作ダイアル１６を回動操作することにより、ファンスイッチ１２から出力される電気信号に基づいてブロアユニット（不図示）から吹出される空調エアの風量が切換えられる。なお、ファン操作ダイアル１６内には、夜間等にインジケータ１７を内側から照明するための光源（不図示）が設けられている。
【００２５】
また、ファン操作ダイアル１６の開口した中央部には、ファンスイッチ１２の回転軸１２ａの内側に設けた前記エアコンスイッチ１１のスイッチ部１１ａがファン操作ダイアル１６の前面側に突出するようして配置されている。押しボタン式のスイッチ部１１ａをＯＮ／ＯＦＦ操作することにより、エアコンスイッチ１１から出力される電気信号に基づいてエアコンユニット（不図示）がＯＮ／ＯＦＦされる。
【００２６】
図４（ａ）に示すように、ベース部材２の背面側に回動自在に保持されている第１の操作レバー６の基端側とブロワユニットの内外気切換ダンパ（不図示）との間には、可撓性を有する内外気切換コントロールケーブル１８が連結されている。また、図４（ｂ）に示すように、ベース部材２の背面側に回動自在に保持されている第２の操作レバー７の基端側とヒータユニットの吹出口切換ダンパ（不図示）との間には、可撓性を有する吹出口切換コントロールケーブル１９が連結されている。
【００２７】
更に、図４（ｃ）に示すように、操作盤本体２の背面側に回動自在に保持されている第３の操作レバー８の基端側とヒータユニットのエアミックスダンパ（不図示）との間には、可撓性を有する温度調整コントロールケーブル２０が連結されている。
【００２８】
内外気切換コントロールケーブル１８、吹出口切換コントロールケーブル１９、温度調整コントロールケーブル２０は、それぞれインナーケーブル１８ａ，１９ａ，２０ａと、各インナーケーブル１８ａ，１９ａ，２０ａを摺動自在に案内するアウターケーブル１８ｂ，１９ｂ，２０ｂとで構成されている。図４（ａ），（ｂ）に示すように、アウターケーブル１８ｂの一端側は、ベース部材２の背面側に設けたケーブル固定部材２１に固定されており、アウターケーブル１９ｂ，２０ｂの一端側は、ベース部材２の背面側に設けたケーブル固定部材２２に固定されている。
【００２９】
インナーケーブル１８ａ，１９ａ，２０ａの一端側は、それぞれ第１、第２、第３の操作レバー６，７，８の各基端側に設けた係止孔６ｂ，７ｂ，８ｂに係止されており、インナーケーブル１８ａ，１９ａ，２０ａの他端側は、それぞれダンパを可動させるためのレバー部材（不図示）等に係止されている。なお、図４（ａ），（ｂ），（ｃ）では、ベース部材２の背面側に回動自在に保持される第１、第２、第３の操作レバー６，７，８と、これらの第１、第２、第３の操作レバー６，７，８に一端側がそれぞれ連結された内外気切換コントロールケーブル１８、吹出口切換コントロールケーブル１９、温度調整コントロールケーブル２０、ケーブル固定部材２１，２２のみを概略的に示している。
【００３０】
図４（ｃ）に示すように、例えば、車室内の所定の吹出口から吹出される空調エアの温度を高温側に調整する場合においては、第３の操作レバー８を上方側に回動させることにより、第３の操作レバー８の回動とともにインナーケーブル２０ａがアウターケーブル２０ｂ内を摺動する。インナーケーブル２０ａの摺動により、インナーケーブル２０ａの他端側が連結されているヒータユニット側のレバー部材（不図示）等が作動して、ヒータユニットのエアミックスダンパ（不図示）が可動される。なお、第１、第２の操作レバー６，７を回動させた場合においても同様に、インナーケーブル１８ａ，１９ａが摺動してダンパがそれぞれ可動される。
【００３１】
また、前面パネル部材４の外周面上には、樹脂材からなる円環状の操作ダイアル２３が前面パネル部材４の外周面の周方向に沿って回動自在に設置されている。操作ダイアル２３は、運転者等が人差し指等の指先で操作ノブ１４ａ，１４ｂ，１４ｃを回動操作するときに、操作しやすいように他の指で掴むための部材である。
【００３２】
操作ダイアル２３の外周面には、滑りとめ溝部２３ａが所定間隔で複数形成されている。また、操作ダイアル２３の内周面に形成したガイド凸部２３ｂ（図３参照）が、前面パネル部材４の外周面に形成されたガイド溝部４ｆに摺動自在に嵌っている。これにより、操作ダイアル２３は、前面パネル部材４の外周面上をガタつきなく、円滑に回動する。
【００３３】
前記のように構成されている空調用操作装置１は、図５に示すように、車両（自動車）のインストルメントパネル（不図示）に設けた空調コントロールパネル２４の前面側に、前面パネル部材４、操作ノブ１４ａ，１４ｂ，１４ｃ、ファン操作ダイアル１６、スイッチ部１１ａ、操作ダイアル２３が位置するようにして設置されている。
【００３４】
そして、例えば、図６に示すように、操作者（運転者）の左手の人差し指Ａを操作ノブ１４ａの側面に当てて、他の指で操作ダイアル２３を摘んだ状態で、操作ノブ１４ａを操作し前面パネル部材４の外周面に沿って回動（図６では右方向に回動）させることにより、第１の操作レバー６が回動する。これにより、内外気切換コントロールケーブル１８のインナーケーブル１８ａが摺動して、ブロワユニットの内外気切換ダンパ（不図示）が可動されることにより、内気循環／外気導入モードが選択的に切換えられる。この際、操作者（運転者）が摘んでいる操作ダイアル２３も操作ノブ１４ａの回動に応じて同方向に回動する。
【００３５】
また、同様に操作者（運転者）の左手の人差し指を操作ノブ１４ｂの側面に当てて、他の指で操作ダイアル２３を摘んだ状態で、操作ノブ１４ｂを操作し前面パネル部材４の外周面に沿って上下方向に回動させることにより、第２の操作レバー７が回動する。これにより、吹出口切換コントロールケーブル１９のインナーケーブル１９ａが摺動して、ヒータユニットの吹出口切換ダンパ（不図示）が可動されることにより、複数の吹出口のうちから選択した吹出口に切換えられる。この際、操作者（運転者）が摘んでいる操作ダイアル２３も操作ノブ１４ｂの回動に応じて同方向に回動する。
【００３６】
更に、操作者（運転者）の左手の親指を操作ノブ１４ｃの側面に当てて、他の指で操作ダイアル２３を摘んだ状態で、操作ノブ１４ｃを操作し前面パネル部材４の外周面に沿って上下方向に回動させることにより、第３の操作レバー８が回動する。これにより、温度調整コントロールケーブル２０のインナーケーブル２０ａが摺動して、ヒータユニットのエアミックスダンパ（不図示）が可動されることにより、吹出口から吹出される空調エアの温度が調整される。この際、操作者（運転者）が摘んでいる操作ダイアル２３も操作ノブ１４ｃの回動に応じて同方向に回動する。
【００３７】
このように、本実施形態に係る空調用操作装置１によれば、内気循環／外気導入モードを選択的に切換え操作するための第１の操作レバー６、複数の吹出口のうちから選択した吹出口に切換え操作するための第２の操作レバー７、および吹出口から吹出される空調エアの温度を調整操作するための第３の操作レバー８を同軸上に回動自在に配置し、第１、第２、第３の操作レバー６，７，８の先端側の各操作ノブ１４ａ，１４ｂ，１４ｃを、ベース部材２の外周面に回動自在に配置した円環状の操作ダイアル２３の外周面上に沿って移動自在に設けた構成により、従来のようにコントロールケーブルを介して機械的に操作するための複数の操作レバーを空調コントロールパネルにそれぞれ独立して設ける必要がないので、第１、第２、第３の操作レバー６，７，８の各操作ノブ１４ａ，１４ｂ，１４ｃを空調コントロールパネル２４に省スペースで設置することができる。
【００３８】
更に、操作者（運転者）が各操作ノブ１４ａ，１４ｂ，１４ｃに指を当てて操作するときに、操作している側の他の指で回動自在な操作ダイアル２３を摘むことにより、各操作ノブ１４ａ，１４ｂ，１４ｃを安定して操作性よく回動させることができる。
【００３９】
〈実施形態２〉
図７は、本発明の実施形態２に係る空調用操作装置の要部を示す斜視図である。なお、図１〜図６に示した実施形態１の空調用操作装置と同一機能を有する部材には同一符号を付し、重複する説明は省略する。
【００４０】
本実施形態に係る空調用操作装置１ａは、図７に示すように、操作ダイアル２３の前側縁部にヒンジ部（不図示）により前方側（前面パネル部材４の前面側）から９０度上方側へ回動自在なコ字状のフック部材２５を設けた構成である。また、第１、第２、第３の操作レバー６，７，８の先端側に設けた操作ノブ１４ａ，１４ｂ，１４ｃ（図７では、第２、第３の操作レバー７，８の操作ノブ１４ｂ，１４ｃは不図示）の先端部は、操作ダイアル２３の外周面上に位置するようにして設置されている。他の構成は前記実施形態１と同様である。なお、図７では、ベース部材２の外周面上のレバーガイド部２ｃ，２ｅは不図示である。
【００４１】
フック部材２５は、ヒンジ部（不図示）を回動支点にして９０度上方側へ立てたときに選択した操作ノブ１４ａ，１４ｂ，１４ｃのいずれかの外周部に係合される。また、フック部材２５を前方側へ倒したときに（図７の二点鎖線の位置）、操作ダイアル２３を回動させてもフック部材２５の基端側（ヒンジ部（不図示）側）と操作ノブ１４ａ，１４ｂ，１４ｃが干渉しないように、フック部材２５の基端側はヒンジ部（不図示）と一体的に前方側へ倒れるように形成されている。
【００４２】
そして、例えば、図７に示したように、操作ダイアル２３を回動させてフック部材２５を操作ノブ１４ａの位置に合わせ、フック部材２５を回動させて９０度上方側へ立てることによって操作ノブ１４ａの外周部に係合させる。そして、操作者（運転者）の左手の各指先で操作ダイアル２３を摘んだ状態で、操作ダイアル２３を操作し前面パネル部材４の外周面に沿って回動させることにより、フック部材２５の回動とともに係合している操作ノブ１４ａ（第１の操作レバー６）が回動する。
【００４３】
これにより、内外気切換コントロールケーブル１８のインナーケーブル１８ａが摺動して、ブロワユニットの内外気切換ダンパ（不図示）が可動されることにより、内気循環／外気導入モードが選択的に切換えられる。この際、操作者（運転者）が摘んでいる操作ダイアル２３も操作ノブ１４ａの回動に応じて同方向に回動する。なお、同様にフック部材２５を操作ノブ１４ｂまたは操作ノブ１４ｃに係合させて、フック部材２５を回動させることにより第２の操作レバー７または第３の操作レバー８を回動させることができる。
【００４４】
このように、本実施形態に係る空調用操作装置１ａによれば、操作ダイアル２３の外周面の前側縁部に、第１、第２、第３の操作レバー６，７，８の先端側の各操作ノブ１４ａ，１４ｂ，１４ｃにそれぞれ係合自在なフック部材２５を設けて、このフック部材２５を操作ノブ１４ａ，１４ｂ，１４ｃのいずれかに係合させることにより、操作者（運転者）が操作ダイアル２３を摘んで回動操作するだけで、操作ノブ１４ａ，１４ｂ，１４ｃを安定して操作性よく回動させることができる。
【図面の簡単な説明】
【００４５】
【図１】本発明の実施形態１に係る車両の空調用操作装置を前面側から見た斜視図。
【図２】本発明の実施形態１に係る車両の空調用操作装置を背面側から見た斜視図。
【図３】本発明の実施形態１に係る車両の空調用操作装置の分解斜視図。
【図４】（ａ）は、第１の操作レバーに連結された内外気切換コントロールケーブルを示す図、（ｂ）は、第２の操作レバーに連結された吹出口切換コントロールケーブルおよび第３の操作レバーに連結された温度調整コントロールケーブルを示す図、（ｃ）は、第３の操作レバーを回動させてインナーケーブルを摺動させた状態を示す図。
【図５】空調コントロールパネルに設置された実施形態１に係る空調用操作装置を示す正面図。
【図６】実施形態１に係る空調用操作装置の操作ノブを操作者（運転者）が操作している状態を示す図。
【図７】本発明の実施形態２に係る車両の空調用操作装置の要部を示す斜視図。
【符号の説明】
【００４６】
１、１ａ        空調用操作装置
２        ベース部材
３        光拡散樹脂部材
４        前面パネル部材
５ａ      第１の表示板
５ｂ      第２の表示板
５ｃ      第３の表示板
５ｄ      第４の表示板
６        第１の操作レバー
７        第２の操作レバー
８        第３の操作レバー
１１      エアコンスイッチ
１２      ファンスイッチ
１４ａ，１４ｂ，１４ｃ      操作ノブ（操作部）
１６      ファン操作ダイアル
１８      内外気切換コントロールケーブル
１９      吹出口切換コントロールケーブル
２０      温度調整コントロールケーブル
１８ａ，１９ａ，２０ａ      インナーケーブル
２３      操作ダイアル
２４      空調コントロールパネル
２５      フック部材
【図１】
2009126471.tif 000003
【図２】
2009126471.tif 000004
【図３】
2009126471.tif 000005
【図４】
2009126471.tif 000006
【図５】
2009126471.tif 000007
【図６】
2009126471.tif 000008
【図７】
2009126471.tif 000009